(57)【要約】【課題】装置に供給される供給電力の相の特定を容易にする導出装置等の提供。【解決手段】導出装置は、所定の動作装置に指示情報を送信する送信部と、所定の供給元からの複数の相の電力である複数相電力を構成する単相電力の各々のうち前記動作装置の各々に供給される電力を表す電力情報を受信する受信部と、前記電力の変化から、前記動作装置の各々に供給されている前記単相電力における相を表す相情報を導出する導出部とを備え、前記動作装置の各々の前記単相電力のレベル及び前記供給元の少なくともいずれかは前記指示情報に基づき変更される。【選択図】      図１
2020048305.tif 000002
【特許請求の範囲】
【請求項１】
所定の動作装置に指示情報を送信する送信部と、
所定の供給元からの複数の相の電力である複数相電力を構成する単相電力の各々のうち前記動作装置の各々に供給される電力を表す電力情報を受信する受信部と、
前記電力の変化から、前記動作装置の各々に供給されている前記単相電力における相を表す相情報を導出する導出部と
を備え、
前記動作装置の各々の前記単相電力のレベル及び前記供給元の少なくともいずれかは前記指示情報に基づき変更される
導出装置。
【請求項２】
前記電力情報は、前記複数相電力を前記複数の前記単相電力にする供給装置から送付される、請求項１に記載された導出装置。
【請求項３】
前記供給元の前記変更が前記供給元の切替えによるものである、請求項１又は請求項２に記載された導出装置。
【請求項４】
各々が異なる前記供給元から前記複数相電力の入力を受ける第二の複数の供給装置をさらに備え、前記変更が、前記供給装置の切替えにより行われる、請求項３に記載された導出装置。
【請求項５】
前記動作装置が、前記供給装置を切り替える、請求項４に記載された導出装置。
【請求項６】
前記相情報は、前記相を表すとともに、前記相に係る前記電力の前記供給元を表す、請求項１乃至請求項５のうちのいずれか一に記載された導出装置。
【請求項７】
前記レベルの前記変更が、前記レベルの増加であり、前記導出部は、前記増加に係る増加量により前記導出を行う、請求項１又は請求項２に記載された導出装置。
【請求項８】
前記レベルの前記変更が、前記レベルの減少であり、前記導出部は、前記減少に係る減少量により前記導出を行う、請求項１又は請求項２に記載された導出装置。
【請求項９】
所定の動作装置に指示情報を送信し、
所定の供給元からの複数の相の電力である複数層電力を構成する単相電力の各々のうち前記動作装置の各々に供給される電力を表す電力情報を受信し、
前記電力の変化から、前記動作装置の各々に供給されている前記単相電力における相を表す相情報を導出し、
前記動作装置の各々の前記単相電力のレベル及び前記供給元の少なくともいずれかは前記指示情報に基づき変更される
導出方法。
【請求項１０】
所定の動作装置に指示情報を送信する処理と、
所定の供給元からの複数の相の電力である複数層電力を構成する単相電力の各々のうち前記動作装置の各々に供給される電力を表す電力情報を受信する処理と、
前記電力の変化から、前記動作装置の各々に供給されている前記単相電力における相を表す相情報を導出する処理と
をコンピュータに実行させ、
前記動作装置の各々の前記単相電力のレベル及び前記供給元の少なくともいずれかは前記指示情報に基づき変更される
導出プログラム。
【発明の詳細な説明】
【技術分野】
【０００１】
本発明は、装置への供給電力の相を特定する方法に関する。
【背景技術】
【０００２】
コンピュータ装置をラックに設置する際に、一般的に、そのラック内にＰＤＵ（Ｐｏｗｅｒ  Ｄｉｓｔｒｉｂｕｔｉｏｎ  Ｕｎｉｔ）を設置し、コンピュータ装置は、そのＰＤＵのコンセントから電源供給を受けるようにする。
【０００３】
入力側が三相４線式で出力側が単相のＰＤＵでは、三相のうちの各々の相がＰＤＵの備える出力側の各コンセントに接続される。それらの相は、一つには、入力側の三相電力線であるＵ線、Ｖ線及びＷ線並びに入力側の中性線Ｎのうち、Ｕ線とＮ線の組からなる相である、残りの二つは、Ｖ線とＮ線の組からなる相及びＷ線とＮ線の組からなる相である。
【０００４】
その場合、それら各相に接続されているコンピュータ装置においてそれら各相についての消費電力が一致している場合、中性線Ｎには電流が流れない。しかしながら、それら各相についての消費電力が一致していない場合、消費電力の小さい組の余剰電力に係る電流が不平衡電流として中性線Ｎを流れ、無駄な電力が消費される。このことは、入力側が三相４線式で出力側が単相の場合は、各相についての消費電力の差が大きいと、電力効率が低下することを意味する。
【０００５】
この問題を解決するために、一般的には、各相のコンセントに接続されるコンピュータ装置の数を等しくする。
【０００６】
また、特許文献１は、各相の消費電力のバランスを動的に保つための方法を開示する。
【先行技術文献】
【特許文献】
【０００７】
【特許文献１】特開２０１６−１５８３７４号公報
【発明の概要】
【発明が解決しようとする課題】
【０００８】
しかしながら、各相のコンセントに接続されるコンピュータ装置の数を等しくするためには、各相に接続するコンピュータ装置の数を人が目視で確認する必要がある。特に大規模なシステムの場合は、その確認は困難であり、また、確認ミスが生じる可能性がある。
【０００９】
また、特許文献１が開示する方法は、各コンピュータ装置がどの相に接続しているかを示す情報を人が手動で設定する必要がある。特に大規模なシステムの場合は当該設定が困難であり、また設定の誤りが生じる可能性がある。
【００１０】
本発明は、装置に供給される供給電力の相の特定を容易にする導出装置等の提供を目的とする。
【課題を解決するための手段】
【００１１】
本発明の導出装置は、所定の動作装置に指示情報を送信する送信部と、所定の供給元からの複数の相の電力である複数相電力を構成する単相電力の各々のうち前記動作装置の各々に供給される電力を表す電力情報を受信する受信部と、前記電力の変化から、前記動作装置の各々に供給されている前記単相電力における相を表す相情報を導出する導出部とを備え、前記動作装置の各々の前記単相電力のレベル及び前記供給元の少なくともいずれかは前記指示情報に基づき変更される。
【発明の効果】
【００１２】
本発明の導出装置等は、装置に供給される供給電力の相の特定を容易にする。
【図面の簡単な説明】
【００１３】
【図１】第一実施形態のシステムの構成例を表す概念図である。
【図２】ＰＤＵ（Ｐｏｗｅｒ  Ｄｉｓｔｒｉｂｕｔｉｏｎ  Ｕｎｉｔ）１３０の構成例を表す概念図である
【図３】第一実施形態のコンピュータ装置の構成例を表す概念図である。
【図４】第一実施形態の管理装置の処理部が行う処理の第一の処理フロー例を表す概念図である。
【図５】第一実施形態の管理装置の処理部が行う処理の第二の処理フロー例を表す概念図である。
【図６】第一実施形態の管理装置の処理部が行う処理の第三の処理フロー例を表す概念図である。
【図７】第二実施形態のシステムの構成例を表す概念図である。
【図８】第二実施形態のコンピュータ装置の構成例を表す概念図である。
【図９】第二実施形態の管理装置の処理部が行う処理の処理フロー例を表す概念図である。
【図１０】各実施形態の管理装置やコンピュータ装置を実現可能な情報処理装置のハードウェア構成例を表す概念図である。
【図１１】実施形態の導出装置の最小限の構成を表す概念図である。
【発明を実施するための形態】
【００１４】
＜第一実施形態＞
第一実施形態は、各コンピュータ装置が、そのコンピュータ装置の構成に供給する電力を変化させることにより、管理装置が、接続されている配線が三相配線のうちのいずれであるかを特定するシステムに関する実施形態である。
［構成と動作］
図１は、第一実施形態のシステムの例であるシステム２００の構成を表す概念図である。なお、同図に点線で表す配線は信号線である。
【００１５】
システム２００は、管理装置１２０と、コンピュータ装置１１０ａ乃至１１０ｆと、ＰＤＵ１３０と、分電盤１４０とを備える。
【００１６】
分電盤１４０は、三相４線の電力供給線群である配線群１４１を介して、ＰＤＵ１３０に三相の電力を供給する。配線群１４１に含まれる３相の配線の各々を、Ｕ線、Ｖ線、Ｗ線ということにする。また、配線群１４１に含まれる中性線をＮ線ということにする。
【００１７】
ＰＤＵ１３０は、端子対ＣＵａ及びＣＵｂ、ＣＶａ及びＣＶｂ並びにＣＷａ及びＣＷｂを備える。ＰＤＵ１３０はまた検出部１３８を備える。
【００１８】
ＰＤＵ１３０の備える各端子対は、中性の端子である中性端子と単相の出力端子とからなる。各端子対はコンセントを構成する。
【００１９】
端子対ＣＵａ及びＣＵｂの各々に含まれる中性端子は、配線群１４１に含まれるＮ線に電気的に接続されている。端子対ＣＵａ及びＣＵｂの各々に含まれる出力端子は、配線群１４１に含まれるＵ線に電気的に接続されている。
【００２０】
端子対ＣＶａ及びＣＶｂの各々に含まれる中性端子は、配線群１４１に含まれるＮ線に電気的に接続されている。端子対ＣＶａ及びＣＶｂの各々に含まれる出力端子は、配線群１４１に含まれるＶ線に電気的に接続されている。
【００２１】
端子対ＣＷａ及びＣＷｂの各々に含まれる中性端子は、配線群１４１に含まれるＮ線に電気的に接続されている。端子対ＣＷａ及びＣＷｂの各々に含まれる出力端子は、配線群１４１に含まれるＷ線に電気的に接続されている。
【００２２】
端子対ＣＵａ、ＣＵｂ、ＣＶａ、ＣＶｂ、ＣＷａ及びＣＷｂの各々は、この順に、配線対ＬＵａ、ＬＵｂ、ＬＶａ、ＬＶｂ、ＬＷａ、ＬＷｂを介して、コンピュータ装置１１０ａ乃至１１０ｆに、単相の電力を供給する。
【００２３】
検出部１３８は、配線群１４１のＵ線、Ｖ線及びＷ線の各々を介してコンピュータ装置に供給される電力を表す検出電力情報の各々を検出する。そして、Ｕ線、Ｖ線及びＷ線の各々についての前記検出電力情報を、管理ネットワーク１５０を介して、管理装置１２０へ、送信する。当該送信は、検出部１３８により逐次行われてもよい。あるいは、当該送信は、管理装置１２０からの送信指示により行われてもよい。検出部１３８は、当該動作を可能にするための、管理装置１２０へのアクセス手段、各線の供給電力値の検出手段、ユーザインターフェース機能等を備える。
【００２４】
管理装置１２０は、管理ネットワーク１５０を介して、ＰＤＵ１３０の検出部１３８の他、コンピュータ装置１１０ａ乃至１１０ｆの各々に接続されている。
【００２５】
管理装置１２０は、処理部１２１と記憶部１２２とを備える。
【００２６】
処理部１２１は、例えば中央演算処理装置を含む構成である。
【００２７】
処理部１２１は、コンピュータ装置の各々に、そのコンピュータ装置の各部分に供給される電力を停止又は開始させるための指示情報を、管理ネットワーク１５０を介して、順次送信する。各コンピュータ装置は、前記指示情報により、コンピュータ装置の各部分に供給される電力を開始又は停止する機能を備えているものとする。
【００２８】
そして、処理部１２１は、いずれかのコンピュータ装置へ前記指示情報を送信するたびに、検出部１３８から送付される前記検出電力情報において、Ｖ線、Ｕ線及びＷ線のうちのどの線を通じての供給電力が変化したかを特定する。そして、管理装置１２０は、特定した線と、前記指示情報を送付したコンピュータ装置の識別子との組を、記憶部１２２に格納させる。
【００２９】
処理部１２１は、上記動作をすべてのコンピュータ装置に対して行う。
【００３０】
それにより、記憶部１２２は、すべてのコンピュータ装置について、そのコンピュータ装置が接続された線（相）を特定した対応情報を保持することになる。
【００３１】
記憶部１２２は、処理部１２１が上記動作を行うためのプログラムや情報を予め保持する。記憶部１２２は、処理部１２１の指示に従い指示された情報を読み出し、処理部１２１に送付する。記憶部１２２は、また、処理部１２１から指示された情報を格納する。
【００３２】
なお、図１はコンピュータ装置の数が６台の場合を表すが、実施形態のシステムが備えるコンピュータ装置の数は任意である。また、各相の端子対の数も任意である。また、各コンピュータ装置の各相への接続のされ方も任意である。
【００３３】
図２は、図１に表すＰＤＵ１３０の構成例を表す概念図である。
【００３４】
図１に表す三相４線の配線群１４１は、配線ＵＬ、ＶＬ、ＷＬ及びＮＬからなる。配線ＵＬ、ＶＬ及びＷＬは電力供給線である。配線ＮＬは中性線である。
【００３５】
配線ＵＬは、電力センサＳＵを介して、端子Ｕ１及びＵ２に接続されている。
【００３６】
配線ＶＬは、電力センサＳＶを介して、端子Ｖ１及びＶ２に接続されている。
【００３７】
配線ＷＬは、電力センサＳＷを介して、端子Ｗ１及びＷ２に接続されている。
【００３８】
配線ＮＬは、端子Ｎ１乃至Ｎ６に接続されている。
【００３９】
端子Ｕ１と端子Ｎ１の組は、図１に表す端子対ＣＵａである。また、端子Ｕ２と端子Ｎ１の組は、図１に表す端子対ＣＵｂである。また、端子Ｖ１と端子Ｎ３の組は、図１に表す端子対ＣＶａである。また、端子Ｖ２と端子Ｎ４の組は、図１に表す端子対ＣＶｂである。また、端子Ｗ１と端子Ｎ５の組は、図１に表す端子対ＣＷａである。また、端子Ｗ２と端子Ｎ６の組は、図１に表す端子対ＣＷｂである。
【００４０】
端子対ＣＵａの各々の端子には図１に表す配線対ＬＵａの各々の配線が接続されている。また、端子対ＣＵｂの各々の端子には図１に表す配線対ＬＵｂの各々の配線が接続されている。また、端子対ＣＶａの各々の端子には図１に表す配線対ＬＶａの各々の配線が接続されている。また、端子対ＣＶｂの各々の端子には図１に表す配線対ＬＶｂの各々の配線が接続されている。また、端子対ＣＷａの各々の端子には図１に表す配線対ＬＷａの各々の配線が接続されている。また、端子対ＣＷｂの各々の端子には図１に表す配線対ＬＷｂの各々の配線が接続されている。
【００４１】
電力センサＳＵ、ＳＶ及びＳＷの各々は、配線ＵＬ、ＶＬ及びＷＬの各々から入力される電力の電力値を表す電力情報を、検出部１３８の処理部１３７に送付する。
【００４２】
検出部１３８は、記憶部１３９と処理部１３７とを備える。
【００４３】
処理部１３７は、管理ネットワーク１５０を介する図１に表す管理装置１２０からの指示情報に従い、管理装置１２０へ、配線ＵＬ、ＶＬ及びＷＬの各々についての電力情報を送信する。その際に、処理部１３７は、各電力センサから送付された電力情報を、管理ネットワーク１５０を介し管理装置１２０へ送信し得る送信情報に変換した後に、管理装置１２０へ送信する。処理部１３７は、前記送信を、逐次行っても構わない。あるいは、処理部１３７は、前記送信を、管理装置１２０から受信した送信指示指示を受けて行っても構わない。
【００４４】
記憶部１３９は、処理部１３７が上記動作を行うために必要な情報を予め保持する。記憶部１３９は、また、処理部１３７が指示する情報を格納する。当該情報には、例えば、処理部１３７が管理装置１２０へ送信する前の前記送信情報が含まれる。記憶部１３９は、また、処理部１３７が指示する情報を、処理部１３７へ送付する。
【００４５】
図３は、図１に表すコンピュータ装置１１０の構成例を表す概念図である。なお、図３に表す構成は周知のものなので、ここでは詳細説明を省略する。
【００４６】
図３に表すコンピュータ装置１１０は、記憶部１０４と、ＣＰＵ１０５と、ＩＯカード１０６と、ＰＣＨ１０１と、ＢＭＣ１００と、ＰＳＵ１０３とを備える。ここで、ＣＰＵは、Ｃｅｎｔｒａｌ  Ｐｒｏｃｅｓｓｉｎｇ  Ｕｎｉｔの略である。また、ＩＯは、Ｉｎｐｕｔ／Ｏｕｔｐｕｔの略である。また、ＰＣＨは、Ｐｌａｔｆｏｒｍ  Ｃｏｎｔｒｏｌｌｅｒ  Ｈｕｂの略である。また、ＢＭＣは、Ｂａｓｅｂｏａｒｄ  Ｍａｎａｇｅｍｅｎｔ  Ｃｏｎｔｒｏｌｌｅｒの略である。また、ＰＳＵは、Ｐｏｗｅｒ  Ｓｕｐｐｌｙ  Ｕｎｉｔの略である。
【００４７】
また、ＰＣＨ１０１は、ＮＭ１０２を備える。ＮＭは、Ｎｏｄｅ  Ｍａｎａｇｅｒの略である。
【００４８】
ＢＭＣ１００は、ＮＭ１０２と連携して、コンピュータ装置１１０の管理を行う。ＢＭＣ１００とＰＣＨ１０１とはＳＭＢｕｓ１１６で接続されている。ＢＭＣ１００とＮＭ１０２間の通信はＳＭＢｕｓ１１６を介して行われる。ここで、ＳＭＢｕｓは、Ｓｙｓｔｅｍ  Ｍａｎａｇｅｍｅｎｔ  Ｂｕｓの略である。
【００４９】
ＢＭＣ１００とＰＣＨ１０１、ＰＳＵ１０３間はＰＭＢｕｓ１１１で接続されている。ＰＭＢｕｓは、Ｐｏｗｅｒ  Ｍａｎａｇｅｍｅｎｔ  Ｂｕｓの略である。
【００５０】
ＢＭＣ１００及びＮＭ１０２の各々は、ＰＭＢｕｓ１１１を介してＰＳＵ１０３にアクセスする。
【００５１】
ＣＰＵ１０５と記憶部１０４とはＤＤＲ４−Ｉ／Ｆ１１２で接続されている。ＤＤＲ４はＤｏｕｂｌｅ−Ｄａｔａ−Ｒａｔｅ４の略である。また、Ｉ／Ｆは、ｉｎｔｅｒｆａｃｅの略である。ＣＰＵ１０５とＩＯカード１０６は、ＰＣＩｅ−Ｉ／Ｆ１１３で接続されている。ＰＣＩｅは、ＰＣＩ  Ｅｘｐｒｅｓｓの略である。ＰＣＩは、Ｐｅｒｉｐｈｅｒａｌ  Ｃｏｍｐｏｎｅｎｔ  Ｉｎｔｅｒｃｏｎｎｅｃｔの略である。
【００５２】
ＣＰＵ１０５とＰＣＨ１０１とは、ＤＭＩ１１４で接続されている。ＤＭＩは、Ｄｅｓｋｔｏｐ  Ｍａｎａｇｅｍｅｎｔ  Ｉｎｔｅｒｆａｃｅの略である。ＣＰＵ１０５とＰＣＨ１０１との間の通常のアクセスはＤＭＩ１１４を介して行われる。
【００５３】
ＣＰＵ１０５とＰＣＨ１０１間は、ＰＥＣＩ（Ｐｌａｔｆｏｒｍ  Ｅｎｖｉｒｏｎｍｅｎｔ  Ｃｏｎｔｒｏｌ  Ｉｎｔｅｒｆａｃｅ）１１５でも接続されている。ＮＭ１０２はＰＥＣＩ１１５を介してＣＰＵ１０５にアクセスする。
【００５４】
ＢＭＣ１００は管理ネットワーク１５０と接続されている。ＰＳＵ１０３には電源ケーブルが接続されている。当該電源ケーブルは、図１に表す配線対ＬＵａ、ＬＵｂ、ＬＶａ、ＬＶｂ、ＬＷａ及びＬＷｂのいずれかである。当該電源ケーブルは、ＰＤＵ１３０の対応する端子対から単相の電力を受電する。
【００５５】
ＢＭＣ１００は、管理装置１２０からの指示情報により、コンピュータ装置の各構成に電力を供給し、又は、供給を停止する。
【００５６】
その際に、管理装置１２０からの指示情報は、まず、ＢＭＣ１００に入力される。そして、当該指示情報を受けて、ＢＭＣ１００は、ＰＭＢｕｓ１１１を介して、ＰＳＵ１０３へ、ＰＳＵ１０３からコンピュータ装置１１０の各構成への電力供給を開始又は停止を指示する。
［処理フロー例］
図４は、図１に表す管理装置１２０の処理部１２１が行う処理の第一の処理フロー例を表す概念図である。以下に説明する処理は、例えば、記憶部１２２が予め保持する管理プログラムにより実行される。
【００５７】
処理部１２１は、例えば、管理装置１２０のユーザ等の外部からの開始情報の入力により図４に表す処理を開始する。
【００５８】
そして、処理部１２１は、Ｓ１０１の処理として、図４に表す処理の対象とするコンピュータ装置である対象装置の装置ＩＤのリストを生成する。ここで、ＩＤは、Ｉｄｅｎｔｉｆｉｅｒの略である。処理部１２１は、当該生成を、前記外部からの入力情報により行う。
【００５９】
次に、処理部１２１は、Ｓ１０２の処理として、Ｓ１０１の処理により生成したリストに含まれる装置ＩＤのコンピュータ装置の各々へ、入力される電力のそのコンピュータ装置の各構成への供給停止を指示する指示情報を送信する。当該指示情報を受信したコンピュータ装置は、そのコンピュータ装置に入力される電力のそのコンピュータ装置の各構成への供給を停止する。
【００６０】
そして、処理部１２１は、Ｓ１０３の処理として、ＰＤＵ１３０へ、Ｕ線、Ｖ線及びＷ線の配線ごとの検出電力情報の送信を指示する指示情報を送信する。コンピュータ装置がその各構成への電力の供給を停止しても、コンピュータ装置に供給される電力は完全にゼロにならない場合がある。その理由は、コンピュータがその各構成への電力停止又は電力開始を行う部分等には電力供給が継続される場合があるからである。Ｓ１０３の処理は、前記場合を想定して、ＰＤＵ１３０に、前記場合の供給電力に係る検出電力情報を送付させるものである。
【００６１】
そして、処理部１２１は、Ｓ１０４の処理として、ＰＤＵ１３０から、前記検出電力情報を受信したかについての判定を行う。
【００６２】
処理部１２１は、Ｓ１０４の処理による判定結果がｙｅｓの場合は、Ｓ１０５の処理を行う。
【００６３】
一方、処理部１２１は、Ｓ１０４の処理による判定結果がｎｏの場合は、Ｓ１０４の処理を再度行う。
【００６４】
処理部１２１は、Ｓ１０５の処理を行う場合は、同処理として、Ｓ１０４の処理により受信したことを判定した前記検出電力情報を、記憶部１２２に格納させる。
【００６５】
そして、処理部１２１は、Ｓ１０７の処理をまだ行っていない装置ＩＤをＳ１０１の処理により生成したリストに含まれる装置ＩＤから一つ特定する。
【００６６】
そして、処理部１２１は、Ｓ１０７の処理として、Ｓ１０６の処理により特定した装置ＩＤのコンピュータ装置に、入力された電力のそのコンピュータ装置の各構成への供給を開始させる指示情報を送信する。
【００６７】
そして、処理部１２１は、Ｓ１０８の処理として、ＰＤＵ１３０へ、Ｕ線、Ｖ線及びＷ線の配線ごとの検出電力情報の送信を指示する。
【００６８】
そして、処理部１２１は、Ｓ１０９の処理として、ＰＤＵ１３０から、前記検出電力情報を受信したかについての判定を行う。
【００６９】
処理部１２１は、Ｓ１０９の処理による判定結果がｙｅｓの場合は、Ｓ１１０の処理を行う。
【００７０】
一方、処理部１２１は、Ｓ１０９の処理による判定結果がｎｏの場合は、Ｓ１０９の処理を再度行う。
【００７１】
処理部１２１は、Ｓ１１０の処理を行う場合は、同処理として、Ｓ１０９の処理により受信したことを判定した検出電力情報を、記憶部１２２に格納させる。
【００７２】
そして、処理部１２１は、Ｓ１１１の処理としてＳ１１０の処理により格納させた検出電力情報がＳ１０５の処理により格納させた検出電力情報より閾値Ｔ１以上増加した配線を、Ｕ線、Ｖ線及びＷ線のうちから特定する。ここで、閾値Ｔ１は、Ｓ１１１の処理のために予め定められた検出電力情報に関する閾値である。閾値Ｔ１は、前記検出電力情報が閾値Ｔ１以上変化した場合に、その変化した配線について、コンピュータ装置の各構成への電力供給が開始されたと判定する趣旨で予め定められたものである。閾値Ｔ１は、例えば、記憶部１２２が予め保持する。
【００７３】
そして、処理部１２１は、Ｓ１１２の処理として、直近のＳ１０６処理により特定した装置ＩＤと、直近のＳ１１１の処理により特定した配線の配線ＩＤとの組を、記憶部１２２に格納させる。
【００７４】
そして、処理部１２１は、Ｓ１１３の処理として、Ｓ１０６処理により特定した装置ＩＤのコンピュータ装置へ、供給電力のコンピュータ装置の各構成への供給を停止させる指示情報を送信する。当該指示情報を受信したコンピュータ装置は、入力された電力のコンピュータ装置の各構成への供給を停止する。
【００７５】
次に、処理部１２１は、Ｓ１１４の処理として、Ｓ１０１の処理により生成したリストに含まれるすべての装置ＩＤについて、Ｓ１０７の処理を行ったかについての判定を行う。
【００７６】
処理部１２１は、Ｓ１１４の処理による判定結果がｙｅｓの場合は、Ｓ１１５の処理を行う。
【００７７】
一方、処理部１２１は、Ｓ１１４の処理による判定結果がｎｏの場合は、Ｓ１０６の処理を再度行う。
【００７８】
処理部１２１は、Ｓ１１５の処理を行う場合は、同処理として、Ｓ１１２の処理により記憶部１２２に格納させた前記組をすべて、図示しないディスプレイ等に、出力させる。
【００７９】
そして、処理部１２１は、図４に表す処理を終了する。
【００８０】
図５は、図１に表す管理装置１２０の処理部１２１が行う処理の第二の処理フロー例を表す概念図である。以下に説明する処理は、例えば、記憶部１２２が予め保持する管理プログラムにより実行される。
【００８１】
図５に表す処理は、以下の説明が図４に表す処理の説明と異なる。下記説明と図４の各処理の説明とが矛盾する場合は、下記説明を優先する。
【００８２】
図５に表すＳ１０１乃至Ｓ１１０の説明は、図４に表すＳ１０１乃至Ｓ１１０の説明と同じである。
【００８３】
処理部１２１は、Ｓ１１０の処理の次に、Ｓ１１１ｂの処理として、次の処理を行う。すなわち、処理部１２１は、直近のＳ１１１の処理により格納させた検出電力情報が、一回前のＳ１１０の処理により格納させた検出電力情報より閾値Ｔ２以上増加した配線を特定する。処理部１２１は、当該特定を、Ｕ線、Ｖ線及びＷ線のうちから行う。
【００８４】
なお、一回前のＳ１１０の処理が存在しない場合は、処理部１２１は、上記に代えて、直近のＳ１１０の処理により格納させた検出電力情報が、Ｓ１０５の処理により格納させた検出電力情報より閾値Ｔ２以上増加した配線を特定する。
【００８５】
ここで、閾値Ｔ２は、Ｓ１１１の処理のために予め定められた検出電力情報に関する閾値である。閾値Ｔ２は、前記検出電力情報が閾値Ｔ２以上増加した場合は、その変化した配線について、コンピュータ装置の各構成への電力供給が開始されたと判定する趣旨で予め定められたものである。閾値Ｔ２は、例えば、記憶部１２２が予め保持する。
【００８６】
そして、処理部１２１は、Ｓ１１２ｂの処理として、直近のＳ１０６処理により特定した装置ＩＤと、直近のＳ１１１ｂの処理により特定した配線の配線ＩＤとの組を、記憶部１２２に格納させる。
【００８７】
次に、処理部１２１は、Ｓ１１４ｂの処理として、Ｓ１０１の処理により生成したリストに含まれるすべての装置ＩＤについて、Ｓ１０７の処理を行ったかについての判定を行う。
【００８８】
処理部１２１は、Ｓ１１４ｂの処理による判定結果がｙｅｓの場合は、Ｓ１１４−２の処理を行う。
【００８９】
一方、処理部１２１は、Ｓ１１４ｂの処理による判定結果がｎｏの場合は、Ｓ１０６の処理を再度行う。
【００９０】
処理部１２１は、Ｓ１１４−２の処理を行う場合は、同処理として、Ｓ１０１の処理により生成したリストに含まれるすべての装置ＩＤのコンピュータ装置に対し、供給電力のそのコンピュータ装置の各構成への供給停止を指示する指示情報を送信する。
【００９１】
そして、処理部１２１はＳ１１５ｂの処理として、Ｓ１１２ｂの処理により記憶部１２２に格納させた組をすべて、図示しないディスプレイ等に、出力させる。
【００９２】
図６は、図１に表す管理装置１２０の処理部１２１が行う処理の第三の処理フロー例を表す概念図である。以下に説明する処理は、例えば、記憶部１２２が予め保持する管理プログラムにより実行される。
【００９３】
図６に表す処理は、以下の説明が図４に表す処理の説明と異なる。下記説明と図４の各処理の説明とが矛盾する場合は、下記説明を優先する。
【００９４】
図６に表すＳ１０１の処理の説明は、図４に表すＳ１０１の処理の説明と同じである。
【００９５】
処理部１２１は、Ｓ１０１の処理の次にＳ１０２ｃの処理を行う。
【００９６】
処理部１２１は、Ｓ１０２の処理を行う場合は、同処理として、Ｓ１０１の処理により生成したリストに含まれる装置ＩＤのコンピュータ装置の各々へ、供給される電力のそのコンピュータ装置の各構成への供給を指示する指示情報を送信する。当該指示情報を受信したコンピュータ装置は、入力される電力のそのコンピュータ装置の各構成への供給を行う。
【００９７】
そして、処理部１２１は、Ｓ１０３の処理を行う。
【００９８】
図６に表すＳ１０３乃至Ｓ１０６の各処理の説明は、図４に表すＳ１０３乃至Ｓ１０６の各処理の説明と同じである。
【００９９】
処理部１２１は、Ｓ１０６の次に、Ｓ１０７ｃの処理として、Ｓ１０６の処理により特定した装置ＩＤのコンピュータ装置に、供給された電力のそのコンピュータ装置の各構成への供給を停止させる指示情報を送信する。
【０１００】
そして、処理部１２１は、Ｓ１０８の処理を行う。
【０１０１】
図６に表すＳ１０８乃至Ｓ１１０の説明は、図４に表すＳ１０８乃至Ｓ１１０の処理の説明と同じである。
【０１０２】
処理部１２１は、Ｓ１１０の処理の次に、Ｓ１１１ｃの処理として、次の処理を行う。すなわち、処理部１２１は、Ｓ１１０の処理により格納させた検出電力情報がＳ１０５の処理により格納させた検出電力情報より閾値Ｔ３以上低下した配線を、Ｕ線、Ｖ線及びＷ線のうちから特定する。ここで、閾値Ｔ３は、Ｓ１１１ｃの処理のために予め定められた検出電力情報に関する閾値である。閾値Ｔ３は、前記検出電力情報が閾値Ｔ３以上低下した場合は、その変化した配線について、コンピュータ装置の各構成への電力供給が停止されたと判定するために予め定められたものである。閾値Ｔ３は、例えば、記憶部１２２が予め保持する。
【０１０３】
そして、処理部１２１は、Ｓ１１２ｃの処理として、直近のＳ１０６処理により特定した装置ＩＤと、直近のＳ１１１ｃの処理により特定した配線の配線ＩＤとの組を、記憶部１２２に格納させる。
【０１０４】
そして、処理部１２１は、Ｓ１１３ｃの処理として、Ｓ１０６処理により特定した装置ＩＤのコンピュータ装置へ、供給電力のコンピュータ装置の各構成への供給を行わせる指示情報を送信する。当該指示情報を受信したコンピュータ装置は、供給電力のコンピュータ装置の各構成への供給を開始する。
【０１０５】
次に、処理部１２１は、Ｓ１１４ｃの処理として、Ｓ１０１の処理により生成したリストに含まれるすべての装置ＩＤについて、Ｓ１０７の処理を行ったかについての判定を行う。
【０１０６】
処理部１２１は、Ｓ１１４ｃの処理による判定結果がｙｅｓの場合は、Ｓ１１５ｃの処理を行う。
【０１０７】
一方、処理部１２１は、Ｓ１１４ｃの処理による判定結果がｎｏの場合は、Ｓ１０６の処理を再度行う。
【０１０８】
処理部１２１は、Ｓ１１５ｃの処理を行う場合は、同処理として、Ｓ１１２ｃの処理により記憶部１２２に格納させた組をすべて、図示しないディスプレイ等に、出力させる。
【０１０９】
以上の例では、管理装置は、各コンピュータ装置に対し、そのコンピュータ装置の各構成へ供給する電力を停止又は開始させる場合について説明した。しかしながら、管理装置は、各コンピュータ装置に対し、そのコンピュータ装置の各構成へ供給する電力を増加又は減少させても構わない。当該増加又は減少は、例えば、コンピュータ装置が、一部の構成に供給する電力の供給を開始又は停止することにより生じる。前記増加又は減少は、あるいは、例えば、コンピュータ装置の稼働率を増加又は減少することにより生じ得る。前記増加又は減少は、あるいは、例えば、コンピュータ装置の中央演算処理装置の動作クロック周波数や、単位時間当たりの命令数を変更することにより生じ得る。
【０１１０】
また、以上の説明では、システムに含まれるＰＤＵが一台の場合について説明した。しかしながら、実施形態のシステムに含まれるＰＤＵは複数でも構わない。その場合、管理装置は、各コンピュータ装置にそのコンピュータ装置の各構成に提供する電力を変化させ、そのコンピュータ装置に電力を供給する配線が、いずれのＰＤＵの電力を供給する三相配線のうちのいずれであるかを特定する。その場合において、各ＰＤＵに対し、異なる電力供給元（配電盤等）から、電力が供給されても構わない。
［効果］
第一実施形態のシステムにおいて、管理装置は、コンピュータ装置の各々に、順次、そのコンピュータ装置に内部において各構成へ供給される電力を変化させる。そして、前記管理装置は、ＰＤＵに入力される三相の配線のうちの検出電力情報の変化により、その各コンピュータ装置に接続された配線が三相の配線のうちのいずれに接続されたものであるかを特定する。当該特定は、人の目視によるものではない。また、当該特定のために各コンピュータ装置がどの相の配線に接続しているかを示す情報を人が手動で設定する必要もない。そのため、前記システムは、コンピュータ装置に供給される供給電力の相の特定を容易にする。
【０１１１】
本実施形態のシステムは、複数のＰＤＵを備え、各ＰＤＵに対し異なる電力供給元から電力が入力される場合がある。その場合は、前記システムは、コンピュータ装置に供給される供給電力の相と電力供給元との組の特定を容易にする。
＜第二実施形態＞
第二実施形態は、各コンピュータ装置が、そのコンピュータ装置の構成に供給する電力の供給元のＰＤＵを切り替えることにより、接続されている配線が、三相配線のうちのいずれであるかを特定するシステムに関する実施形態である。
［構成と動作］
図７は第二実施形態のシステムの例であるシステム２００ｂの構成を表す概念図である。同図に点線で表す配線は信号線である。
【０１１２】
システム２００ｂは、管理装置１２０と、コンピュータ装置１１０ａ乃至１１０ｆと、ＰＤＵ１３０ａ及び１３０ｂと、分電盤１４０ａと１４０ｂとを備える。
【０１１３】
分電盤１４０ａ及び１４０ｂの各々は、三相４線の電力供給線群である配線群１４１ａ及び１４１ｂの各々を介して、ＰＤＵ１３０ａ及び１３０ｂの各々に三相の電力を供給する。配線群１４１ａ及び１４１ｂの各々に含まれる３相の配線の各々は、Ｕ線、Ｖ線、Ｗ線である。また、配線群１４１ａ及び１４１ｂの各々に含まれる中性線はＮ線である。
【０１１４】
ＰＤＵ１３０ａは、端子対ＣＵａ１、ＣＵａ２、ＣＶａ１、ＣＶａ２、ＣＷａ１及びＣＷａ２を備える。ＰＤＵ１３０ａはまた検出部１３８ａを備える。
【０１１５】
ＰＤＵ１３０ａの備える各端子対は、中性の端子である中性端子と単相の出力端子とからなる。各端子対はコンセントを構成する。
【０１１６】
端子対ＣＵａ１及びＣＵａ２の各々に含まれる中性端子は、配線群１４１ａに含まれるＮ線に電気的に接続されている。端子対ＣＵａ１及びＣＵａ２の各々に含まれる出力端子は、配線群１４１ａに含まれるＵ線に電気的に接続されている。
【０１１７】
端子対ＣＶａ１及びＣＶａ２の各々に含まれる中性端子は、配線群１４１ａに含まれるＮ線に電気的に接続されている。端子対ＣＶａ１及びＣＶａ２の各々に含まれる出力端子は、配線群１４１ａに含まれるＶ線に電気的に接続されている。
【０１１８】
端子対ＣＷａ１及びＣＷａ２に含まれる中性端子は、配線群１４１ａに含まれるＮ線に電気的に接続されている。端子対ＣＷａ１及びＣＷａ２の各々に含まれる出力端子は、配線群１４１ａに含まれるＷ線に電気的に接続されている。
【０１１９】
端子対ＣＵａ１、ＣＵａ２、ＣＶａ１、ＣＶａ２、ＣＷａ１及びＣＷａ２の各々は、コンピュータ装置１１０ａ、１１０ｂ、１１０ｃ、１１０ｄ、１１０ｅ及び１１０ｆの各々に、単相の電力を供給し得る。当該供給は、配線対ＬＵａ１、ＬＵａ２、ＬＶａ１、ＬＶａ２、ＬＷａ１及びＬＷａ２の各々を介して行われる。
【０１２０】
検出部１３８ａは、配線群１４１ａのＵ線、Ｖ線及びＷ線の各々を介してコンピュータ装置に供給される電力を表す検出電力情報の各々を検出する。そして、Ｕ線、Ｖ線及びＷ線の各々についての前記検出電力情報を、管理ネットワーク１５０を介して、管理装置１２０へ、送信する。当該送信は、検出部１３８ａにより逐次行われてもよい。あるいは、当該送信は、管理装置１２０からの送信指示により行われてもよい。検出部１３８ａは、当該動作を可能にするための、管理装置１２０へのアクセス手段、各線の供給電力値の検出手段、ユーザインターフェース機能等を備える。
【０１２１】
ＰＤＵ１３０ｂの説明は、ＰＤＵ１３０ａについての上記説明において、ＰＤＵ、検出部、分電盤、配線群、端子対及び配線対の各々を表す符号の末尾のａをｂに読み替えたものである。
【０１２２】
管理装置１２０は、管理ネットワーク１５０を介して、ＰＤＵ１３０ａの検出部１３８ａ、ＰＤＵ１３０ｂの検出部１３８ｂ、及び、コンピュータ装置１１０ａ乃至１１０ｆの各々に接続されている。
【０１２３】
管理装置１２０は、処理部１２１と記憶部１２２とを備える。
【０１２４】
処理部１２１は、例えば中央演算処理装置を備える構成である。
【０１２５】
処理部１２１は、コンピュータ装置の各々に、そのコンピュータ装置の各部分に供給される電力を、ＰＤＵ１３０ａからの電力とＰＤＵ１３０ｂからの電力とで切り替えさせるための指示情報を、管理ネットワーク１５０を介して、順番にに送信する。各コンピュータ装置は、前記指示情報により、そのコンピュータ装置の各部分に供給される電力を、ＰＤＵ１３０ａからの電力とＰＤＵ１３０ｂからの電力とで切り替える機能を備えているものとする。
【０１２６】
そして、処理部１２１は、いずれかのコンピュータ装置へ前記指示情報を送信するたびに、検出部１３８から受信した前記検出電力情報において、どの線を通じての供給電力が変化したかを特定する。処理部１２１は、当該特定を、配線群１４１ａ又は１４１ｂのいずれかに含まれるＶ線、Ｕ線及びＷ線のうちから行う。
【０１２７】
そして、管理装置１２０は、特定した線を表す線ＩＤと、前記指示情報の送信先のコンピュータ装置の識別子との組を、記憶部１２２に格納させる。前記線ＩＤは、ＰＤＵごとの各三相配線の各々を表すものであり６個存在する。
【０１２８】
処理部１２１は、上記動作をすべてのコンピュータ装置に対して行う。
【０１２９】
それにより、記憶部１２２は、各コンピュータ装置についての前記組を保持することになる。
【０１３０】
記憶部１２２は、処理部１２１が上記動作を行うためのプログラムや情報を予め保持する。記憶部１２２は、処理部１２１の指示に従い指示された情報を読み出し、処理部１２１に送付する。記憶部１２２は、また、処理部１２１から指示された情報を格納する。
【０１３１】
図８は、図７に表すコンピュータ装置１１０の構成例を表す概念図である。
【０１３２】
図８の説明は、以下の説明を除いて、図３の説明と同じである。以下の説明と図３の説明とが矛盾する場合は、以下の説明を優先する。
【０１３３】
ＰＳＵ１０３ａには図７に表す配線対ＬＵａ１、ＬＵａ２、ＬＶａ１、ＬＶａ２、ＬＷａ１及びＬＷａ２のいずれかを含む電源ケーブルが接続されている。当該電源ケーブルは、ＰＤＵ１３０ａの対応する端子対から単相の電力を受電する。
【０１３４】
ＰＳＵ１０３ｂには図７に表す配線対ＬＵｂ１、ＬＵｂ２、ＬＶｂ１、ＬＶｂ２、ＬＷｂ１及びＬＷｂ２のいずれかを含む電源ケーブルが接続されている。当該電源ケーブルは、ＰＤＵ１３０ｂの対応する端子対から単相の電力を受電する。
【０１３５】
ＢＭＣ１００は、管理装置１２０からの指示情報により、コンピュータ装置の各構成に電力を供給するＰＳＵを、ＰＳＵ１０３ａとＰＳＵ１０３ｂとで切り替える。
【０１３６】
その際に、管理装置１２０からの指示情報は、まず、ＢＭＣ１００に入力される。そして、当該指示情報を受けて、ＢＭＣ１００は、ＰＭＢｕｓ１１１を介して、ＰＳＵ１０３及びＰＳＵ１０３ｂへ、ＰＳＵ１０３及びＰＳＵ１０３ｂからコンピュータ装置１１０の各構成への電力供給を開始又は停止を指示する。
【０１３７】
ＢＭＣ１００は、ＰＳＵ１０３ａ及びＰＳＵ１０３ｂのうちの一方にコンピュータ装置１１０の各構成への電力供給を指示し、他方にコンピュータ装置１１０の各構成への電力供給の停止を指示する。
【０１３８】
ＢＭＣ１００が、ＰＳＵ１０３ａにコンピュータ装置１１０の各構成への電力供給を指示し、ＰＳＵ１０３ｂに前記各構成への電力供給の停止を指示した場合は、ＰＤＵ１３０ａから、ＰＳＵ１０３ａを介して前記各構成への電力供給が行われる。その場合は、コンピュータ装置１１０への単相電力の入力はＰＤＵ１３０ａから行われる。
【０１３９】
ＢＭＣ１００が、ＰＳＵ１０３ｂにコンピュータ装置１１０の各構成への電力供給を指示し、ＰＳＵ１０３ａに前記各構成への電力供給の停止を指示した場合は、ＰＤＵ１３０ｂから、ＰＳＵ１０３ｂを介して前記各構成への電力供給が行われる。その場合は、コンピュータ装置１１０への単相電力の入力はＰＤＵ１３０ｂから行われる。
［処理フロー例］
図９は、図７に表す管理装置１２０の処理部１２１が行う処理の処理フロー例を表す概念図である。以下に説明する処理は、例えば、記憶部１２２が予め保持する管理プログラムにより実行される。
【０１４０】
図９に表す処理は、以下の説明が図６に表す処理の説明と異なる。下記説明と図６の各処理の説明とが矛盾する場合は、下記説明を優先する。
【０１４１】
図９に表すＳ１０１の処理の説明は、図６に表すＳ１０１の処理の説明と同じである。
【０１４２】
処理部１２１は、Ｓ１０１の処理の次にＳ１０２ｄの処理を行う。
【０１４３】
処理部１２１は、Ｓ１０２ｄの処理を行う場合は、同処理として、Ｓ１０１の処理により生成したリストに含まれる装置ＩＤのコンピュータ装置の各々へ、供給される電力のそのコンピュータ装置の各構成への供給を指示する指示情報を送信する。当該指示情報を受信したコンピュータ装置は、供給される電力のそのコンピュータ装置の各構成への供給を行う。
【０１４４】
そして、処理部１２１は、Ｓ１０３の処理を行う。
【０１４５】
図９に表すＳ１０３乃至Ｓ１０６の各処理の説明は、図６に表すＳ１０３乃至Ｓ１０６の各処理の説明と同じである。
【０１４６】
そして、処理部１２１は、Ｓ１０８ｄ’の処理として、ＰＤＵ１３０ａ及び１３０ｂの各々へ、Ｕ線、Ｖ線及びＷ線の配線ごとの検出電力情報の送信を指示する。
【０１４７】
そして、処理部１２１は、Ｓ１０９’の処理を行う。
【０１４８】
図９に表すＳ１０９’及びＳ１１０’の説明は、図６に表すＳ１０９及びＳ１１０の処理の説明と同じである。ただし、同説明において、Ｓ１０９はＳ１０９’と、Ｓ１１０はＳ１１０’と、それぞれ、読み替える。
【０１４９】
処理部１２１は、Ｓ１１０’の処理の次に、Ｓ１１１ｄ’の処理として、次の処理を行う。すなわち、処理部１２１は、Ｓ１１０’の処理により格納させた検出電力情報がＳ１０５の処理により格納させた検出電力情報より閾値Ｔ４以上増加した配線を、Ｕ線、Ｖ線及びＷ線のうちから特定する。ここで、閾値Ｔ４は、Ｓ１１１ｄの処理のために予め定められた検出電力情報に関する閾値である。閾値Ｔ４は、前記検出電力情報が閾値Ｔ４以上減少した場合は、その変化した配線について、コンピュータ装置の各構成への電力供給が停止されたと判定する趣旨で予め定められたものである。閾値Ｔ４は、例えば、記憶部１２２が予め保持する。
【０１５０】
そして、処理部１２１は、Ｓ１１２ｄ’の処理として、直近のＳ１０６処理により特定した装置ＩＤと、現在使用しているＰＳＵのＰＳＵＩＤと、直近のＳ１１１ｄの処理により特定した配線の配線ＩＤとの組を、記憶部１２２に格納させる。
【０１５１】
そして、処理部１２１は、Ｓ１１２ｄ’の次に、Ｓ１０７ｄの処理として、Ｓ１０６の処理により特定した装置ＩＤのコンピュータ装置に、電力供給するＰＳＵを切り替えさせる指示情報を送信する。そして、処理部１２１は、１０８ｄの処理を行う。
【０１５２】
図９に表すＳ１０８ｄ乃至Ｓ１１２ｄの説明は、上記Ｓ１０８ｄ’乃至Ｓ１１２ｄ’の処理の説明と同じである。ただし、同説明において、アルファベットのＳで始まる処理を表す各符号の末尾の「’」は削除されるものとする。また、当該読替えにより矛盾が生じる場合は、その記述は読まないものとする。
【０１５３】
処理部１２１は、Ｓ１１２ｄの処理の次に、Ｓ１１４ｄの処理として、Ｓ１０１の処理により生成したリストに含まれるすべての装置ＩＤについて、Ｓ１０７ｄの処理を行ったかについての判定を行う。
【０１５４】
処理部１２１は、Ｓ１１４ｄの処理による判定結果がｙｅｓの場合は、Ｓ１１５ｄの処理を行う。
【０１５５】
一方、処理部１２１は、Ｓ１１４ｄの処理による判定結果がｎｏの場合は、Ｓ１０６の処理を再度行う。
【０１５６】
処理部１２１は、Ｓ１１５ｄの処理を行う場合は、同処理として、Ｓ１１２ｄの処理により記憶部１２２に格納させた組をすべて、図示しないディスプレイ等に、出力させる。
【０１５７】
なお、管理装置からの指示によりコンピュータ装置は、ＰＤＵの切替えと、コンピュータ装置の内部において各構成への供給電力のレベルを変更する処理とを、ともに行っても構わない。その場合も、管理装置は、ＰＤＵから受信した各相についての電力情報の変化から、そのコンピュータ装置が接続されている相を特定する。
［効果］
本実施形態のシステムは、第一実施形態のシステムが相する効果と同様な効果を奏する。
【０１５８】
以上の説明では、ＰＤＵの入力が三相４線式の場合について説明した。しかしながら、ＰＤＵの入力が三相３線式であっても構わない。
【０１５９】
図１０は、各実施形態の管理装置やコンピュータ装置を実現可能な情報処理装置のハードウェア構成例を表す概念図である。
【０１６０】
情報処理装置９０は、通信インタフェース９１、入出力インタフェース９２、演算装置９３、記憶装置９４、不揮発性記憶装置９５及びドライブ装置９６を備える。
【０１６１】
通信インタフェース９１は、各実施形態の通信装置が、有線あるいは／及び無線で外部装置と通信するための通信手段である。なお、通信装置を、少なくとも二つの情報処理装置を用いて実現する場合、それらの装置の間を通信インタフェース９１経由で相互に通信可能なように接続しても良い。
【０１６２】
入出力インタフェース９２は、入力デバイスの一例であるキーボードや、出力デバイスとしてのディスプレイ等のマンマシンインタフェースである。
【０１６３】
演算装置９３は、汎用のＣＰＵ（Ｃｅｎｔｒａｌ  Ｐｒｏｃｅｓｓｉｎｇ  Ｕｎｉｔ）やマイクロプロセッサ等の演算処理装置である。演算装置９３は、例えば、不揮発性記憶装置９５に記憶された各種プログラムを記憶装置９４に読み出し、読み出したプログラムに従って処理を実行することが可能である。
【０１６４】
記憶装置９４は、演算装置９３から参照可能な、ＲＡＭ（Ｒａｎｄｏｍ  Ａｃｃｅｓｓ  Ｍｅｍｏｒｙ）等のメモリ装置であり、プログラムや各種データ等を記憶する。記憶装置９４は、揮発性のメモリ装置であっても良い。
【０１６５】
不揮発性記憶装置９５は、例えば、ＲＯＭ（Ｒｅａｄ  Ｏｎｌｙ  Ｍｅｍｏｒｙ）、フラッシュメモリ、等の、不揮発性の記憶装置であり、各種プログラムやデータ等を記憶することが可能である。
【０１６６】
ドライブ装置９６は、例えば、後述する記録媒体９７に対するデータの読み込みや書き込みを処理する装置である。
【０１６７】
記録媒体９７は、例えば、光ディスク、光磁気ディスク、半導体フラッシュメモリ等、データを記録可能な任意の記録媒体である。
【０１６８】
本発明の各実施形態は、例えば、図１０に例示した情報処理装置９０により通信装置を構成し、この通信装置に対して、上記各実施形態において説明した機能を実現可能なプログラムを供給することにより実現してもよい。
【０１６９】
この場合、通信装置に対して供給したプログラムを、演算装置９３が実行することによって、実施形態を実現することが可能である。また、通信装置のすべてではなく、一部の機能を情報処理装置９０で構成することも可能である。
【０１７０】
さらに、上記プログラムを記録媒体９７に記録しておき、通信装置の出荷段階、あるいは運用段階等において、適宜上記プログラムが不揮発性記憶装置９５に格納されるよう構成してもよい。なお、この場合、上記プログラムの供給方法は、出荷前の製造段階、あるいは運用段階等において、適当な治具を利用して通信装置内にインストールする方法を採用してもよい。また、上記プログラムの供給方法は、インターネット等の通信回線を介して外部からダウンロードする方法等の一般的な手順を採用してもよい。
【０１７１】
なお、上述する各実施の形態は、本発明の好適な実施の形態であり、本発明の要旨を逸脱しない範囲内において種々変更実施が可能である。
【０１７２】
図１１は、実施形態の導出装置の最小限の構成である導出装置１２０ｘの構成を表す概念図である。
【０１７３】
導出装置１２０ｘは、送信部１２１ａｘと、受信部１２１ｂｘと、導出部１２１ｃｘとを備える。
【０１７４】
送信部１２１ａｘは、所定の動作装置に指示情報を送信する。
【０１７５】
受信部１２１ｂｘは、所定の供給元からの複数の相の電力である複数相電力を構成する単相電力の各々のうち前記動作装置の各々に供給される電力を表す電力情報を受信する。
【０１７６】
導出部１２１ｃｘは、前記電力の変化から、前記動作装置の各々に供給されている前記単相電力における相を表す相情報を導出する
前記動作装置の各々の前記単相電力のレベル及び前記供給元の少なくともいずれかは前記指示情報に基づき変更される。
【０１７７】
導出装置１２０ｘは、前記動作装置の各々に、前記単相電力の、レベル及び供給元のうちの少なくともいずれかを変更させる。そして、導出装置１２０ｘは、前記供給装置に入力される前記複数の相の各々の前記電力情報の変化により、前記単相電力が前記複数の相のいずれに由来するものであるかを特定する。当該特定は、人の目視によるものではない。また、当該特定のために各動作装置がどの相の配線に接続しているかを示す情報を人が手動で設定する必要もない。そのため、前記システムは、コンピュータ装置に供給される供給電力の相の特定を容易にする。
【０１７８】
そのため、導出装置１２０ｘは、前記構成により、［発明の効果］の項に記載した効果を奏する。
【０１７９】
なお、図１１に表す導出装置１２０ｘは、例えば、図１又は図７に表す管理装置１２０である。また、送信部１２１ａｘは、例えば、図１又は図７に表す処理部１２１が備える、前記送信を行う部分である。また、受信部１２１ｂｘは、例えば、図１又は図７に表す処理部１２１が備える、前記受信を行う部分である。また、導出部１２１ｘｃは、例えば、図１又は図７に表す処理部１２１が備える、前記導出を行う部分である。また、前記指示情報は、図１又は図７に表す管理装置１２０が各コンピュータ装置に送付する前述の指示情報である。また、前記動作装置は、例えば、図１又は図７に表すコンピュータ装置１１０ａ乃至１１０ｆの各々である。また、前記複数の相は、例えば、三相である。また、前記供給元は、例えば、図１に表す分電盤１４０、図７に表す分電盤１４０ａ又は分電盤１４０ｂである。また、前記電力情報は、例えば、前述の検出電力情報である。
【０１８０】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０１８１】
また、前記の実施形態の一部又は全部は、以下の付記のようにも記述され得るが、以下には限られない。
（付記１）
所定の動作装置に指示情報を送信する送信部と、
所定の供給元からの複数の相の電力である複数相電力を構成する単相電力の各々のうち前記動作装置の各々に供給される電力を表す電力情報を受信する受信部と、
前記電力の変化から、前記動作装置の各々に供給されている前記単相電力における相を表す相情報を導出する導出部と
を備え、
前記動作装置の各々の前記単相電力のレベル及び前記供給元の少なくともいずれかは前記指示情報に基づき変更される
導出装置。
（付記２）
前記電力情報は、前記複数相電力を前記複数の前記単相電力にする供給装置から送付される、付記１に記載された導出装置。
（付記３）
前記供給元の前記変更が前記供給元の切替えによるものである、付記１又は付記２に記載された導出装置。
（付記４）
各々が異なる前記供給元から前記複数相電力の入力を受ける第二の複数の供給装置をさらに備え、前記変更が、前記供給装置の切替えにより行われる、付記３に記載された導出装置。
（付記５）
前記動作装置が、前記供給装置を切り替える、付記４に記載された導出装置。
（付記６）
前記相情報は、前記相を表すとともに、前記相に係る前記電力の前記供給元を表す、付記１乃至付記５のうちのいずれか一に記載された導出装置。
（付記７）
前記レベルの前記変更が、前記レベルの増加であり、前記導出部は、前記増加に係る増加量により前記導出を行う、付記１又は付記２に記載された導出装置。
（付記８）
前記増加が、前記動作装置の所定の構成への電力供給を開始することにより生じる、付記７に記載された導出装置。
（付記９）
前記レベルの前記変更が、前記レベルの減少であり、前記導出部は、前記減少に係る減少量により前記導出を行う、付記１又は付記２に記載された導出装置。
（付記１０）
前記減少が、前記動作装置の所定の構成への電力供給を停止することにより生じる、付記９に記載された導出装置。
（付記１１）
前記複数相電力の入力が、前記複数の本数の電力供給線を含む配線群により行われる、付記１乃至付記１０のうちのいずれか一に記載された導出装置。
（付記１２）
前記配線群に中性線が含まれる、付記１１に記載された導出装置。
（付記１３）
前記送信及び前記受信がネットワークを通じて行われる、付記１乃至付記１２のうちのいずれか一に記載された導出装置。
（付記１４）
前記ネットワークが専用ネットワークである、付記１３に記載された導出装置。
（付記１５）
前記動作装置がコンピュータ装置である、付記１乃至付記１４のうちのいずれか一に記載された導出装置。
（付記１６）
管理装置である、付記１乃至付記１５のうちのいずれか一に記載された導出装置。
（付記１７）
付記１乃至付記１６のうちのいずれか一に記載された導出装置と、前記動作装置とを備える、導出システム。
（付記１８）
所定の動作装置に指示情報を送信し、
所定の供給元からの複数の相の電力である複数層電力を構成する単相電力の各々のうち前記動作装置の各々に供給される電力を表す電力情報を受信し、
前記電力の変化から、前記動作装置の各々に供給されている前記単相電力における相を表す相情報を導出し、
前記動作装置の各々の前記単相電力のレベル及び前記供給元の少なくともいずれかは前記指示情報に基づき変更される
導出方法。
（付記１９）
所定の動作装置に指示情報を送信する処理と、
所定の供給元からの複数の相の電力である複数層電力を構成する単相電力の各々のうち前記動作装置の各々に供給される電力を表す電力情報を受信する処理と、
前記電力の変化から、前記動作装置の各々に供給されている前記単相電力における相を表す相情報を導出する処理と
をコンピュータに実行させ、
前記動作装置の各々の前記単相電力のレベル及び前記供給元の少なくともいずれかは前記指示情報に基づき変更される
導出プログラム。
【符号の説明】
【０１８２】
９０    情報処理装置
９１    通信インタフェース
９２    入出力インタフェース
９３    演算装置
９４    記憶装置
９５    不揮発性記憶装置
９６    ドライブ装置
９７    記録媒体
１００    ＢＭＣ
１０１    ＰＣＨ
１０２    ＮＭ
１０３、１０３ａ、１０３ｂ    ＰＳＵ
１０４、１２２、１３９    記憶部
１０５    ＣＰＵ
１０６    ＩＯカード
１１０、１１０ａ、１１０ｂ、１１０ｃ、１１０ｄ、１１０ｅ、１１０ｆ    コンピュータ装置
１１１    ＰＭＢｕｓ
１１３    ＰＣＩｅ−Ｉ／Ｆ
１１４    ＤＭＩ
１１５    ＰＥＣＩ
１１６    ＳＭＢｕｓ
１２０    管理装置
１２１    処理部
１３０    ＰＤＵ
１３８    検出部
１４０    分電盤
１４１    配線群
１５０    管理ネットワーク
２００、２００ｂ    システム
ＣＵａ、ＣＵａ１、ＣＵａ２、ＣＵｂ、ＣＵｂ１、ＣＵｂ２、ＣＶａ、ＣＶａ１、ＣＶａ２、ＣＶｂ、ＣＶｂ１、ＣＶｂ２、ＣＷａ、ＣＷａ１、ＣＷａ２、ＣＷｂ、ＣＷｂ１、ＣＷｂ２    端子対
ＬＵａ、ＬＵａ１、ＬＵａ２、ＬＵｂ、ＬＵｂ１、ＬＵｂ２、ＬＶａ、ＬＶａ１、ＬＶａ２、ＬＶｂ、ＬＶｂ１、ＬＶｂ２、ＬＷａ、ＬＷａ１、ＬＷａ２、ＬＷｂ、ＬＷｂ１、ＬＷｂ２    配線対
ＳＵ、ＳＶ、ＳＷ    電力センサ
Ｕ１、Ｕ２、Ｖ１、Ｖ２、Ｗ１、Ｗ２    端子
ＵＬ、ＶＬ、ＷＬ、ＮＬ    配線
【図１】
2020048305.tif 000003
【図２】
2020048305.tif 000004
【図３】
2020048305.tif 000005
【図４】
2020048305.tif 000006
【図５】
2020048305.tif 000007
【図６】
2020048305.tif 000008
【図７】
2020048305.tif 000009
【図８】
2020048305.tif 000010
【図９】
2020048305.tif 000011
【図１０】
2020048305.tif 000012
【図１１】
2020048305.tif 000013